(57)【要約】【課題】構図や画角について撮影済み画像との比較が容易な電子カメラを提供する。【解決手段】電子カメラ１は、画像データによる再生画像を表示する表示手段１７と、被写体像を撮像し、画像データを出力する撮像素子１２と、記憶媒体５１に記憶されている画像ファイルのうち、指示された画像ファイルに含まれる画像データを読み出すデータ読み出し手段１８と、データ読み出し手段１８が読み出した画像データと、撮像素子１２が繰り返し撮像して逐次出力する画像データとを画面の略全域で重ね合わせてフレーム画像を生成する画像生成手段１３と、画像生成手段１３により生成されたフレーム画像を表示手段１７に逐次表示させる表示制御手段１５とを備える。【選択図】図１
2010050599.tif 000002
【特許請求の範囲】
【請求項１】
画像データによる再生画像を表示する表示手段と、
被写体像を撮像し、画像データを出力する撮像素子と、
記憶媒体に記憶されている画像ファイルのうち、指示された画像ファイルに含まれる画像データを読み出すデータ読み出し手段と、
前記データ読み出し手段が読み出した画像データと、前記撮像素子が繰り返し撮像して逐次出力する画像データとを画面の略全域で重ね合わせてフレーム画像を生成する画像生成手段と、
前記画像生成手段により生成されたフレーム画像を前記表示手段に逐次表示させる表示制御手段とを備えることを特徴とする電子カメラ。
【請求項２】
請求項１に記載の電子カメラにおいて、
前記画像生成手段による重ね合わせ処理は、前記表示手段の表示画素に対応する画像データ同士の加算処理と、該加算処理の前または後に前記画像データに対して１未満のゲインをかける乗算処理とを含むことを特徴とする電子カメラ。
【請求項３】
請求項１に記載の電子カメラにおいて、
前記画像データはカラー情報を有し、
前記画像生成手段は、前記データ読み出し手段が読み出したカラー画像データをモノクロ画像データ化した上で重ね合わせ処理を行うことを特徴とする電子カメラ。
【請求項４】
請求項１に記載の電子カメラにおいて、
前記画像生成手段は、操作部材が発する所定の操作信号に応じて前記重ね合わせ処理を終了し、前記撮像素子が繰り返し撮像して逐次出力する画像データのみに基づいてフレーム画像を生成することを特徴とする電子カメラ。
【請求項５】
請求項３に記載の電子カメラにおいて、
前記操作信号は、焦点調節処理の開始指示として発せられる信号であることを特徴とする電子カメラ。
【請求項６】
請求項３に記載の電子カメラにおいて、
前記操作信号は、撮影処理の開始指示に先だって発せられる信号であることを特徴とする電子カメラ。
【請求項７】
請求項１に記載の電子カメラにおいて、
前記撮像素子による撮像、前記画像生成手段による画像生成、および前記表示制御手段による表示制御は、それぞれ記録用の撮影処理開始が指示される前に行われることを特徴とする電子カメラ。
【請求項８】
請求項１に記載の電子カメラにおいて、
前記表示制御手段は、一覧表示指示に応じて前記記憶媒体に記憶されている画像ファイルの一覧を示す情報を前記表示手段に表示させ、
前記データ読み出し手段は、前記表示手段に表示されている一覧表示の中から指示された画像ファイルに含まれる画像データを読み出すことを特徴とする電子カメラ。
【請求項９】
請求項１に記載の電子カメラにおいて、
位置情報を取得する位置情報取得手段をさらに備え、
前記表示制御手段は、一覧表示指示に応じて、前記記憶媒体に記憶されている画像ファイルであって、前記位置情報取得手段で取得された情報が示す位置から所定距離内で撮影された画像ファイルの一覧を示す情報を前記表示手段に表示させ、
前記データ読み出し手段は、前記表示手段に表示されている一覧表示の中から指示された画像ファイルに含まれる画像データを読み出すことを特徴とする電子カメラ。
【発明の詳細な説明】
【技術分野】
【０００１】
本発明は、電子カメラに関する。
【背景技術】
【０００２】
自分が意図した構図による撮影を、他人に依頼するためのアシスト機能を備えたカメラが知られている（特許文献１参照）。カメラは、予め取得したプレ画像から輪郭線を抽出し、該輪郭線と撮影前のモニタ画像（スルー画像）とを重ねてモニタに表示することにより、被依頼者がプレ画像と同じ構図で構えることをアシストする。
【０００３】
【特許文献１】特開２００６−２２２６９０号公報
【発明の開示】
【発明が解決しようとする課題】
【０００４】
従来技術では、プレ画像から輪郭線情報を抽出しなければならず、処理の負担が大きいという問題があった。
【課題を解決するための手段】
【０００５】
（１）本発明による電子カメラは、画像データによる再生画像を表示する表示手段と、被写体像を撮像し、画像データを出力する撮像素子と、記憶媒体に記憶されている画像ファイルのうち、指示された画像ファイルに含まれる画像データを読み出すデータ読み出し手段と、データ読み出し手段が読み出した画像データと、撮像素子が繰り返し撮像して逐次出力する画像データとを画面の略全域で重ね合わせてフレーム画像を生成する画像生成手段と、画像生成手段により生成されたフレーム画像を表示手段に逐次表示させる表示制御手段とを備えることを特徴とする。
（２）請求項１に記載の電子カメラにおいて、画像生成手段による重ね合わせ処理は、表示手段の表示画素に対応する画像データ同士の加算処理と、該加算処理の前または後に画像データに対して１未満のゲインをかける乗算処理とを含めてもよい。
（３）請求項１に記載の電子カメラにおいて、画像データはカラー情報を有してよく、画像生成手段は、データ読み出し手段が読み出したカラー画像データをモノクロ画像データ化した上で重ね合わせ処理を行うこともできる。
（４）請求項１に記載の電子カメラにおいて、画像生成手段は、操作部材が発する所定の操作信号に応じて重ね合わせ処理を終了し、撮像素子が繰り返し撮像して逐次出力する画像データのみに基づいてフレーム画像を生成することもできる。
（５）請求項４に記載の電子カメラにおいて、操作信号は、焦点調節処理の開始指示として発せられる信号でもよい。
（６）請求項４に記載の電子カメラにおいて、操作信号は、撮影処理の開始指示に先だって発せられる信号でもよい。
（７）請求項１に記載の電子カメラにおいて、撮像素子による撮像、画像生成手段による画像生成、および表示制御手段による表示制御は、それぞれ記録用の撮影処理開始が指示される前に行われてもよい。
（８）請求項１に記載の電子カメラにおいて、表示制御手段は、一覧表示指示に応じて記憶媒体に記憶されている画像ファイルの一覧を示す情報を表示手段に表示させ、データ読み出し手段は、表示手段に表示されている一覧表示の中から指示された画像ファイルに含まれる画像データを読み出すこともできる。
（９）請求項１に記載の電子カメラはさらに、位置情報を取得する位置情報取得手段を備えてもよい。この場合の表示制御手段は、一覧表示指示に応じて、記憶媒体に記憶されている画像ファイルであって、位置情報取得手段で取得された情報が示す位置から所定距離内で撮影された画像ファイルの一覧を示す情報を表示手段に表示させ、データ読み出し手段は、表示手段に表示されている一覧表示の中から指示された画像ファイルに含まれる画像データを読み出すこともできる。
【発明の効果】
【０００６】
本発明による電子カメラでは、構図や画角について撮影済み画像との比較が容易になる。
【発明を実施するための最良の形態】
【０００７】
以下、図面を参照して本発明を実施するための最良の形態について説明する。図１は、本発明の一実施の形態による電子カメラ１の構成例を説明するブロック図である。図１において、電子カメラ１は、撮影光学系１１と、撮像素子１２と、画像処理回路１３と、ＧＰＳユニット１４と、ＣＰＵ１５と、バッファメモリ１６と、表示装置１７と、メモリカードインターフェース(I/F)１８と、操作部材１９とを備える。
【０００８】
ＣＰＵ１５、バッファメモリ１６、表示装置１７、メモリカードインターフェース１８、画像処理回路１３、およびＧＰＳユニット１４は、それぞれがバス２０を介して接続されている。
【０００９】
撮影光学系１１は、ズームレンズやフォーカシングレンズを含む複数のレンズ群で構成され、被写体像を撮像素子１２の受光面に結像させる。なお、図１を簡単にするため、撮影光学系１１を単レンズとして図示している。
【００１０】
撮像素子１２は、受光面にフォトダイオードが二次元配列されたＣＣＤイメージセンサやＣＭＯＳイメージセンサなどによって構成される。受光面上には、フォトダイオードの位置に対応してＲ（赤）、Ｇ（緑）およびＢ（青）のカラーフィルタ（不図示）が設けられている。撮像素子１２がカラーフィルタを通して被写体像を撮像するため、撮像素子１２から出力されるアナログ画像信号はＲＧＢ表色系の色情報を有する。アナログ画像信号は、不図示のＡ／Ｄ変換回路によってデジタル信号に変換された後、画像処理回路１３に入力される。画像処理回路１３は、デジタル画像信号に対して各種の画像処理（色補間処理、階調変換処理、ホワイトバランス調整処理、画像圧縮処理、画像伸張処理など）を施す。
【００１１】
ＧＰＳユニット１４は、ＣＰＵ１５からの指示に応じてＧＰＳ衛星３０Ａ、３０Ｂからの電波を受信し、受信信号にのせられている情報を用いて電子カメラ１の測位情報（緯度、経度、高度）を算出する。具体的には、ＧＰＳユニットＣＰＵ１４１が受信回路１４２を制御する。受信回路１４２はアンテナ１４３を介して衛星電波を受信し、復調信号をＧＰＳユニットＣＰＵ１４１へ送る。ＧＰＳユニットＣＰＵ１４１は、復調信号に基づいて所定の演算を行うことによって測位情報を求める。なお、図１においては２つのＧＰＳ衛星のみを図示している。
【００１２】
ＣＰＵ１５は、内蔵する不揮発性メモリに記憶するプログラムを実行することにより、電子カメラ１が行う動作を制御する。ＣＰＵ１５は、ＡＦ（オートフォーカス）動作制御や、自動露出（ＡＥ）演算も行う。ＡＦ動作は、たとえば、スルー画像のコントラスト情報に基づいてフォーカシングレンズ（不図示）の合焦位置を求めるコントラスト検出方式を用いる。スルー画像は、撮影指示前に撮像素子１２によって所定のフレームレート（たとえば３０コマ／毎秒）で繰り返し取得されるモニタ用画像のことであり、ライブビュー画像とも呼ばれる。
【００１３】
表示装置１７は液晶パネルによって構成され、ＣＰＵ１５からの指示に応じて画像や操作メニュー画面などを表示する。バッファメモリ１６はＣＰＵ１５のワークメモリとして使用される。また、バッファメモリ１６は、画像処理回路１３による画像処理の前工程や後工程でのデジタル画像データを一時的に記憶する。
【００１４】
メモリカードインターフェース１８はコネクタ（不図示）を有し、該コネクタにメモリカードなどの記憶媒体５１が接続される。メモリカードインターフェース１８は、接続された記憶媒体５１に対するデータの書き込みや、記憶媒体５１からのデータの読み込みを行う。記憶媒体５１は、半導体メモリを内蔵したメモリカード、またはハードディスクドライブなどで構成される。
【００１５】
操作部材１９は、不図示のレリーズボタン、ズームスイッチ、十字スイッチ、メニュースイッチなどを含む。操作部材１９は、モード切替え操作やメニュー選択操作など、各操作に応じた操作信号をＣＰＵ１５へ送出する。
【００１６】
本実施形態は、ライブビュー表示を行う場合の動作に特徴を有するので、以下、ライブビュー表示時にＣＰＵ１５が実行する処理を中心に、図２に例示するフローチャートを参照して説明する。ＣＰＵ１５は、たとえば、電子カメラ１が撮影モードに切り替えられた場合に、図２による処理を行うプログラムを繰り返し行う。
【００１７】
図２のステップＳ１１において、ＣＰＵ１５は、撮像素子１２にライブビュー用の撮像を開始させ、取得された画像データに基づくライブビュー画像を表示装置１７に表示させてステップＳ１２へ進む。図３は、ライブビュー画像を表示する表示装置１７の表示画面を例示する図である。
【００１８】
ステップＳ１２において、ＣＰＵ１５は、画像選択操作が行われたか否かを判定する。ＣＰＵ１５は、操作部材１９を構成するサムネイル表示スイッチ（不図示）から操作信号が入力された場合に、ステップＳ１２を肯定判定してステップＳ１３へ進む。ＣＰＵ１５は、操作部材１９を構成するサムネイル表示スイッチ（不図示）から操作信号が入力された場合には、ステップＳ１２を否定判定してステップＳ１６へ進む。ステップＳ１２を否定判定する場合は、後述する合成表示を行わない。
【００１９】
ステップＳ１３において、ＣＰＵ１５は、ライブビュー画像に代えて図４に例示する画像選択画面を表示装置１７に表示させる。画像選択画面は、記憶媒体５１の所定フォルダ内に格納されている全ての画像ファイルに記録されている画像データに基づいて再生したサムネイル画像を一覧表示したものである。
【００２０】
ＣＰＵ１５はさらに、サムネイル画像の１つを囲むカーソル４２を表示させる。操作部材１９を構成する十字スイッチ（不図示）が上下方向に押下操作された場合、ＣＰＵ１５はカーソル４２の表示位置を上下に移動させる。また、十字スイッチ（不図示）が左右方向に押下操作された場合、ＣＰＵ１５はカーソル４２の表示位置を左右に移動させる。
【００２１】
ステップＳ１４において、ＣＰＵ１５は、選択終了操作されたか否かを判定する。ＣＰＵ１５は、たとえば、操作部材１９を構成するＯＫスイッチ（不図示）が押下操作されると、その時点でカーソル４２が囲むサムネイル画像を「選択画像」とした上で、ステップＳ１４を肯定判定してステップＳ１５へ進む。ＣＰＵ１５は、ＯＫスイッチ（不図示）が押下操作されない場合には、ステップＳ１４を否定判定してステップＳ１３へ戻る。ステップＳ１３へ戻る場合は、以上の処理を繰り返す。
【００２２】
ステップＳ１５において、ＣＰＵ１５は、画像選択画面に代えてライブビュー画像および「選択画像」の画像データに基づく再生画像を合成して表示装置１７に表示させる。図５は、この場合の表示装置１７の表示画面を例示する図である。ＣＰＵ１５は、図３の場合と同様のライブビュー画像をカラーで、「選択画像」の画像データに基づく再生画像をモノクロ画像化して合成する。
【００２３】
合成処理は画像処理回路１３に行わせる。画像処理回路１３は、バッファメモリ１６内のライブビュー画像データと、バッファメモリ１６内のモノクロ画像データとを画素位置（表示装置１７の表示画素の位置）ごとに表示画面の全域（画像を表示する範囲）で足し合わせ、加算後の画像データに対するゲインを１／２倍にして合成表示用のデータを生成する。なお、バッファメモリ１６内のライブビュー画像データと、バッファメモリ１６内のモノクロ画像データとにそれぞれ１／２倍のゲインを掛けた上で、両画像データを足し合わせることによって合成表示用のデータを生成してもよい。
【００２４】
表示装置１７に図５に例示する合成画像が表示されている状態で、電子カメラ１を構えるユーザーは、「選択画像」の撮影時と同様の構図、画角が得られるように、自身の立ち位置や電子カメラ１の向き、撮影光学系１１のズーム位置（倍率）を変える。被写体人物の立ち位置を移動させてもよい。「選択画像」の撮影時とライブビュー画像の構図、画角が合致する場合は、合成画像の輝度が高まって明るく表示される。
【００２５】
ステップＳ１６において、ＣＰＵ１５は、レリーズ半押し操作されたか否かを判定する。ＣＰＵ１５は、操作部材１９を構成するレリーズボタン（不図示）が半押し操作された場合にステップＳ１６を肯定判定してステップＳ１７へ進む。ＣＰＵ１５は、レリーズボタンが半押し操作されない場合にはステップＳ１６を否定判定し、ステップＳ１２へ戻る。ステップＳ１２へ戻る場合は、以上の処理を繰り返す。
【００２６】
ステップＳ１７において、ＣＰＵ１５は、「選択画像」表示を終了させてステップＳ１８へ進む。これにより画像処理回路１３は、上記合成処理、および１／２倍にするゲイン調整を終了し、ライブビュー画像のみを表示装置１７に表示するための表示データを生成する（図６）。
【００２７】
ステップＳ１８において、ＣＰＵ１５は、レリーズ全押し操作されたか否かを判定する。ＣＰＵ１５は、操作部材１９を構成するレリーズボタン（不図示）が全押し操作された場合にステップＳ１８を肯定判定してステップＳ１９へ進む。ＣＰＵ１５は、レリーズボタンが全押し操作されない場合にはステップＳ１８を否定判定し、ステップＳ２２へ進む。
【００２８】
ステップＳ２２において、ＣＰＵ１５は、半押し操作が解除されたか否かを判定する。ＣＰＵ１５は、操作部材１９を構成するレリーズボタン（不図示）の半押し操作が解除されている場合にステップＳ２２を肯定判定してステップＳ１２へ戻る。ＣＰＵ１５は、レリーズボタンが継続して半押し操作されている場合にはステップＳ２２を否定判定し、ステップＳ１８へ戻る。
【００２９】
ステップＳ１９において、ＣＰＵ１５は撮影処理を開始する。具体的には、撮像素子１２を初期化（電荷排出など）させた上で撮像素子１２に撮影用の電荷蓄積、蓄積電荷の掃き出しをさせてステップＳ２０へ進む。
【００３０】
ステップＳ２０において、ＣＰＵ１５は画像処理回路１３へ指示を送り、撮像画像に対して所定の画像処理を行わせてステップＳ２１へ進む。ステップＳ２１において、ＣＰＵ１５はメモリカードインターフェース１８へ指示を送り、画像データを格納した画像ファイルを記憶媒体５１に記録させて図２による処理を終了する。
【００３１】
以上説明した処理は、電子カメラ１の操作部材１９から操作信号が入力されない状態が所定時間以上継続した場合にも終了する。
【００３２】
以上説明した実施形態によれば、次の作用効果が得られる。
（１）過去に撮影した画像である「選択画像」と、現在撮像されているライブビュー画像とを表示装置１７に合成表示したので、過去に撮影した画像のプリントと表示装置１７に表示されるライブビュー画像とを見比べる場合に比べて、両画像間の構図や画角の比較がしやすくなる。また、輪郭線などの抽出処理が不要なので、合成表示のために行う処理の負担も軽い。
【００３３】
（２）一方の画像（本例ではライブビュー画像）をカラーで、他方の画像（本例では「選択画像」）をモノクロで、それぞれ表示装置１７に表示するようにしたので、両画像をともにカラー表示、あるいはモノクロ表示する場合に比べて、両画像を識別しやすくなる。
【００３４】
（３）ライブビュー画像データと、「選択画像」の画像データとを足し合わせ、加算後の画像データに対するゲインを１／２倍にして合成表示用のデータを生成したので、表示装置１７に表示されるそれぞれの画像の明るさが低下する。両画像間で構図および画角が合致した場合には加算後のデータ値が大きくなることから、表示装置１７に表示される合成後の画像が明るく目立つようになり、構図、画角が合致した状態をわかりやすく知らせることができる。また、両画像に対するゲインを１／２倍にしておくことにより、合成後の画像の明るい領域の表示が明るすぎて、いわゆる白飛びが生じることを防止できる。
【００３５】
（４）レリーズボタンが半押し操作された場合に合成表示を終了してライブビュー画像の単独表示へ切り替えるようにしたので、合成表示している場合に比べて、ライブビュー画像におけるフォーカス調節状態などを確認しやすくなる。
【００３６】
（変形例１）
上述した例では、合成表示（ステップＳ１５）の際にライブビュー画像をカラーで、「選択画像」をモノクロで、それぞれ表示装置１７に表示するようにした。この代わりに、「選択画像」をセピア調（茶褐色によるモノトーン）画像で表示させてもよい。また、黒に限らず、他の色を基調にするモノトーン画像で表示しても構わない。
【００３７】
（変形例２）
ライブビュー画像データと「選択画像」の画像データとを１：１の割合で足し合わせ、加算後の画像データに対するゲインを１／２倍にして合成表示用のデータを生成したが、ライブビュー画像データと「選択画像」の画像データとの比率をを異ならせてもよい。たとえば、ライブビュー画像データと「選択画像」の画像データとを３：７の割合で足し合わせ、加算後の画像データに対するゲインを１／２倍にして合成表示用のデータを生成する。「選択画像」の画像データをライブビュー画像に比べて強調することで、構図、画角合わせの目標がわかりやすくなる。なお、ゲインの値は合成後の画像の明るい領域の飽和（白飛び）を抑えられれば１／２倍に限られず、１未満であればよい。
【００３８】
（変形例３）
合成表示を終了してライブビュー画像の単独表示へ切り替えるタイミングとして、レリーズボタンが半押し操作されたタイミングを例に説明した。この代わりに、ＡＦ動作を開始させるための操作部材が操作されたタイミング、または専用の合成表示終了スイッチが操作されたタイミングで行うように構成してもよい。
【００３９】
（変形例４）
上記実施形態では、画像選択画面の表示（ステップＳ１３）として、記憶媒体５１の所定フォルダ内に格納されている全ての画像ファイルに基づくサムネイル画像を、「選択画像」の候補として一覧表示する例を説明した。この代わりに、たとえばExif情報として画像ファイルに含まれている撮影位置を示す情報を参照し、電子カメラ１の現在の位置（ＧＰＳユニット１４によって取得される位置情報）から所定距離内で取得された画像ファイルのみに基づくサムネイル画像を一覧表示させてもよい。
【００４０】
変形例４によれば、「選択画像」の候補数が絞られて一覧表示されるサムネイル画像の数が減少して画像選択操作が行いやすくなる。さらに、季節の変化や時代の移り変わりによって撮影場面が変化している場合でも、一覧表示するサムネイル画像の中に「選択画像」を自動的に含めることができる。
【００４１】
以上の説明はあくまで一例であり、上記の実施形態の構成に何ら限定されるものではない。
【図面の簡単な説明】
【００４２】
【図１】本発明の一実施の形態による電子カメラの構成例を説明するブロック図である。
【図２】撮影モードに切り替えられた場合にＣＰＵが行う処理の流れを説明するフローチャートである。
【図３】ライブビュー画像を表示する画面を例示する図である。
【図４】画像選択画面を例示する図である。
【図５】合成画像を表示する画面を例示する図である。
【図６】ライブビュー画像を表示する画面を例示する図である。
【符号の説明】
【００４３】
１…電子カメラ
１２…撮像素子
１３…画像処理回路
１４…ＧＰＳユニット
１５…ＣＰＵ
１６…バッファメモリ
１７…表示装置
１８…メモリカードインターフェース
１９…操作部材
５１…メモリカード
【図１】
2010050599.tif 000003
【図２】
2010050599.tif 000004
【図３】
2010050599.tif 000005
【図４】
2010050599.tif 000006
【図５】
2010050599.tif 000007
【図６】
2010050599.tif 000008